(57)【要約】【課題】誕生月をワンポイントとして表現する装身具を提供する。【解決手段】正面方向から見ると環状をなす指輪本体の頂部に、主石Ａを取り付け、平面方向から見ると該主石Ａの周部には、１２個の脇石Ｂを時計文字盤と同様に１２等分した位置に取り付け、任意の１の脇石Ｂ１のみを他の脇石Ｂの色合いと異なる色合いとしたことを特徴とする。【選択図】図１ 
0003102886.tif 000002
【実用新案登録請求の範囲】
【請求項１】
正面方向から見ると環状をなす指輪本体の頂部に、主石を取り付け、平面方向から見ると該主石の周部には、１２個の脇石を時計文字盤と同様に１２等分した位置に取り付け、該脇石のうち任意の１の脇石のみを他の脇石の色合いと異なる色合いとしたことを特徴とする装身具。
【請求項２】
平面方向から見ると上方に吊り下げ部を設けたペンダント本体の中央に、主石を取り付け、同方向から見ると該主石の周部には、１２個の脇石を時計文字盤と同様に１２等分した位置に取り付け、該脇石のうち任意の１の脇石のみを他の脇石の色合いと異なる色合いとしたことを特徴とする装身具。
【請求項３】
裏面方向から見ると中央に刺着ピンを設けたブローチ本体の表面に、主石を取り付け、正面方向から見ると該主石の周部には、１２個の脇石を時計文字盤と同様に１２等分して配置し、該脇石のうち任意の１の脇石のみを他の脇石の色合いと異なる色合いとしたことを特徴とする装身具。
【請求項４】
前記他の脇石の色合いと異なる色合いの脇石が、前記時計文字盤中で装身具使用者の誕生月番に該当する数字の位置に配置されたものであることを特徴とする前記請求項１乃至請求項３のいずれか１に記載の装身具。
【請求項５】
前記他の脇石の色合いと異なる色合いの脇石が、装身具使用者の誕生月に相当する誕生石であることを特徴とする前記請求項１乃至請求項４のいずれか１に記載の装身具。
【請求項６】
前記主石及び脇石の本体への取り付けは、いわゆる爪留め、レール留め、彫り留めのうちいずれか一の技法によるものであることを特徴とする前記請求項１乃至請求項５のいずれか１に記載の装身具。
【考案の詳細な説明】
【技術分野】
【０００１】
本考案は、装身具に関し、特に、誕生月などのワンポイントを設けた記念性の高い指輪に関する。
【背景技術】
【０００２】
従来より、指輪には多種多様なものがあるが、宝石を使用したものの代表としては、例えば、図８に示すごとく、指輪５５の指輪本体５６の頂部中央に設けた主石座部５７に主石Ａを取付けて形成したデザインがあり、また、主石Ａの周囲をさらに小粒の宝石で取り囲んだようなデザインの指輪も一般的である（図示せず。）。
【０００３】
そして、そのような指輪５５は、ファッション性から身につけるだけではなく、婚約や誕生の記念など、何らかの記念に際して贈物として購入されることも多い。
【０００４】
【特許文献１】特開２００３−２９９５１１
【０００５】
しかし、従来からある指輪は、ファッション性のみを求めたものが多く、たとえ婚約指輪であったとしても、世界に一つしかない指輪を贈られたといったような記念品としてのイメージを贈られた者や使用者に抱かせることはできなかった。
【考案の開示】
【考案が解決しようとする課題】
【０００６】
本考案が解決しようとする問題点は、指輪などを贈られた者や使用者にその者の誕生月などのワンポイントデザインを提供し、世界に一つしかない貴重な指輪を贈られたというイメージを表現する指輪などの装身具を提供することを目的とする。
【課題を解決するための手段】
【０００７】
請求項１の考案は、正面方向から見ると環状をなす指輪本体の頂部に、主石を取り付け、平面方向から見ると該主石の周部には、１２個の脇石を時計文字盤と同様に１２等分した位置に取り付け、該脇石のうち任意の１の脇石のみを他の脇石の色合いと異なる色合いとした装身具であることを特徴とする。また、平面方向から見ると上方に吊り下げ部を設けたペンダント本体の中央に、主石を取り付け、同方向から見ると該主石の周部には、１２個の脇石を時計文字盤と同様に１２等分した位置に取り付け、該脇石のうち任意の１の脇石のみを他の脇石の色合いと異なる色合いとした装身具であることを特徴とする。裏面方向から見ると中央に刺着ピンを設けたブローチ本体の表面に、主石を取り付け、正面方向から見ると該主石の周部には、１２個の脇石を時計文字盤と同様に１２等分して配置し、該脇石のうち任意の１の脇石のみを他の脇石の色合いと異なる色合いとした装身具であることを特徴とする。
【０００８】
したがって、指輪などの装身具を身につけた時に、時計の文字盤上で自己の誕生月に相当する番号の脇石が他の脇石と異なる色合いであることにより、自分のための装身具を贈られたというイメージを表現することができる。
【０００９】
請求項４の考案は、前記他の脇石の色合いと異なる色合いの脇石が、前記時計文字盤中で装身具使用者の誕生月番に該当する数字の位置に配置された前記請求項１乃至請求項３のいずれか１に記載の装身具であることを特徴とする。また、前記他の脇石の色合いと異なる色合いの脇石が、装身具使用者の誕生月に相当する誕生石であることを特徴とする前記請求項１乃至請求項４のいずれか１に記載の装身具。前記主石及び脇石の本体への取り付けは、いわゆる爪留め、レール留め、彫り留めのうちいずれか一の技法による前記請求項１乃至請求項５のいずれか１に記載の装身具であることを特徴とする。
【００１０】
したがって、他の脇石と異なる色合いである脇石が誕生石であることより、記念品としてのイメージを表現することもでき、また、異なる石留め技法を使用する場合には、そのデザインにバリエーションを加えることができる。
【考案を実施するための最良の形態】
【００１１】
以下、本考案の実施の形態である装身具の第１の形態を図面により説明すると、図１は指輪１０の平面図、図２は図１の側面図、図３はその石座部１４（宝石を取付ける前の状態）を示す平面図である。
【００１２】
指輪１０は、正面方向から見ると、図２に示すように、環状をなす腕部１６を介して、その頂部に石座部１４が形成され、平面方向から見ると、図３に示すように、中央に主石Ａを取付ける主石座部１４ａと、主石座部１４ａの外周には１２個の脇石Ｂを取付けるための脇石座部１４ｂを設けている。
【００１３】
脇石座部１４ｂは、指輪１０の腕部１６の軸方向に対し、時計の文字盤と同様の１２等分した位置（頂点の脇石が時計の１２時の位置、以下、１時から１１時まで同じ。）に、１２個の脇石Ｂを取付けるような配置で形成され、それぞれの脇石Ｂは、時計の文字盤の数字、すなわち１から１２の位置に対応して、暦の１月から１２月を表現することができる。
【００１４】
なお、それぞれの石座は、図３に示すように、環状をなす底部１５ａ、１８ａと底部１５ａ、１８ａの周囲から上方に伸びる爪部１５、１８より形成され、また、それぞれの宝石は、図１及び図２に示すように、底部１５ａ、１８ａに載置された状態で、爪部１５、１８を折り曲げてそれぞれの石座に固定される（いわゆる爪留め技法）。
【００１５】
本考案において、指輪１０に取付けられる主石Ａの色合いには、特に限定がなく、どのような色合いの宝石でも使用できるが、脇石Ｂの色合いには大きな意味がある。すなわち、脇石１７は１２個からなり、かつ時計の文字盤の数字と対応した位置に取付けられている。
【００１６】
ここで、１１個の脇石Ｂには同一色合いの宝石を使用し、残る１個の脇石Ｂ１には他の脇石Ｂと異なる色合いの宝石を使用する。例えば、１１個の脇石Ｂには無色透明なダイアモンドを使用し、残る１個の脇石Ｂ１にはピンク、ブルー、イエロー、グリーンなどのカラーダイアモンドを使用する。このことにより、カラーダイアモンドの位置をメッセージとして、指輪１０に何らかの意味をもたせることができる。
【００１７】
すなわち、脇石Ｂは、時計の文字盤の数字と同様の位置で、主石Ａの周部に１２等分して取付けられており、使用者の誕生月や結婚などの記念月に相当する数字に対応した位置の脇石Ｂ１のみを異なる色合いとする、例えば、図１に示すように３月生まれの者は、数字３の位置の脇石Ｂ１のみをカラーダイアモンドとする。このことにより、使用者は、指輪１０が自己の誕生月や結婚などの記念月を表現して、世界に一つしかない貴重なものであることをアピールできる。
【００１８】
さらに、宝石にはいわゆる誕生石というものがある、例えば、1月はガーネット、２月はアメジスト、３月はアクアマリンといったようなものである。したがって、脇石Ｂ１に誕生石を使用することで、時計の文字盤の数字上に自己の誕生石が取付けられた、きわめておしゃれなメッセージを表現した指輪１０を提供することもできる。
【００１９】
なお、このような指輪１０の素材自体に限定はないが、例えば、金、プラチナ、シルバーなど通常の装身具に使用される貴金属を素材とすることができ、また、指輪１０の製造方法に限定はないが、例えば、ロストワックスキャスティングなど通常の装身具を製造する方法によって容易に製造可能である。
【００２０】
また、指輪１０は、前記した実施例に限定されることはない。例えば、主石Ａや脇石Ｂの取付け方法は、図１に示した爪留め技法のみならず、図４に示すような彫り留め技法、さらにはレール留め技法などによっても良い。指輪１０では腕部１６自体に唐草模様や絵柄など種々の装飾を付加することもできるし、図７に示すように交差した腕部６６に主石Ａを取りつけることもできる。脇石Ｂの形状についても、図示したいわゆるラウンド形の小粒石のみならず、マーキース形など異なる形状や異なるサイズの小粒石を使用できる。要は、１２個の脇石Ｂが時計の文字盤と同様に配置され、そのうちの１の脇石Ｂ１が他の脇石Ｂと異なる色合いであれば良いからである。
【００２１】
次に、本考案の実施の形態である装身具の第２の形態を図面により説明すると、図５はペンダント３０の平面図である。
【００２２】
ペンダント３０は、平面方向から見ると、上方にネックレスなどを通して、首からぶら下げるための吊り下げ部３６を設け、同方向から見ると、中央に主石Ａと、主石Ａの外周には１２個の脇石Ｂを、第１の実施形態である指輪１０と同様の石座により取り付けたものである。
【００２３】
そして、脇石Ｂは時計の文字盤の数字と対応して配置され、かつ１１個の脇石Ｂは同一色合いで、残る１個の脇石Ｂ１のみが異なる色合いの宝石、例えば、カラーダイアモンドを使用したものである。
【００２４】
したがって、使用者は、自己の誕生月に相当する時計の文字盤の数字に位置する脇石Ｂ１を異なる色合いのワンポイントをすることができ、ペンダント３０が自己の誕生月や結婚などの記念月を表現したもので、世界に一つしかない貴重なものであることをアピールできる。
【００２５】
さらに、本考案の実施の形態である装身具の第３の形態を図面により説明すると、図６はブローチ４０の正面図である。
【００２６】
ブローチ４０は、裏面方向から見ると、中央に刺着ピンを設け（図示せず。）、正面方向から見ると、ブローチ本体４６の右上方に主石Ａを取付け、主石Ａの外周には１２個の脇石Ｂ取り付けたものである。
【００２７】
そして、脇石Ｂは時計の文字盤の数字と対応して配置され、かつ１１個の脇石Ｂは同一色合いで、残る１個の脇石Ｂ１のみが異なる色合いの宝石、例えば、誕生石を使用したものである。
【００２８】
したがって、使用者は、自己の誕生月に相当する時計の文字盤の数字に位置する脇石Ｂ１を異なる色合いのワンポイントをすることができ、ブローチ４０が自己の誕生月や記念月を表現したもので、世界に一つしかない貴重なものであることをアピールできる。
【００２９】
本考案は上記の実施形態に限定されず、種々変更して実施することが可能である。例えば、ブレスレットの止め金具部分、イアリングの装飾部分など、すべての主石Ａと脇石Ｂを取付けて構成する装身具の装飾部分に適用可能である。
【図面の簡単な説明】
【００３０】
【図１】本考案に係る指輪の正面図である。
【図２】図１の側面図である。
【図３】指輪の石座部の平面図である。
【図４】指輪の他の実施例を示す平面図である。
【図５】本考案に係るペンダントの正面図である。
【図６】本考案に係るブローチの正面図である。
【図７】指輪の他の実施例を示す平面図である。
【図８】従来の指輪の一例を示す正面図である。
【符号の説明】
【００３１】
１０    指輪
１４    石座部
１４ａ  主石座部
１４ｂ  脇石座部
１５    爪部
１５ａ  底部
１６    腕部
１８    爪部
１８ａ  底部
３０    ペンダント
３６    吊り下げ部
４０    ブローチ
４６    ブローチ本体
５５    指輪
５６    指輪本体
５７    主石座部
６６    腕部
Ａ      主石
Ｂ      脇石
Ｂ１    色合いが異なる脇石
【図１】
0003102886.tif 000003
【図２】
0003102886.tif 000004
【図３】
0003102886.tif 000005
【図４】
0003102886.tif 000006
【図５】
0003102886.tif 000007
【図６】
0003102886.tif 000008
【図７】
0003102886.tif 000009
【図８】
0003102886.tif 000010